(57)【要約】【課題】平版印刷版の塗布膜に損傷を生じさせず、また、コストダウン、多品種に対応した管理等の各種課題の解決が可能である平版印刷版用包装箱及びこの平版印刷版用包装箱を使用した平版印刷版包装構造を提供する。【解決手段】１枚以上の段ボール紙が折り畳まれて形成され、内部に平版印刷版の積層体２０を収容して包装するための平版印刷版用包装箱３０である。段ボール紙の端辺部分が折り返され端辺先端の側面４４Ｔ、４８Ｔが積層体の側面と相対するように配置され、端辺先端の側面と積層体の側面との平行度が３０度以下となっている。【選択図】  図５
2007290777.tif 000002
【特許請求の範囲】
【請求項１】
１枚以上の段ボール紙が折り畳まれて形成され、内部に平版印刷版の積層体を収容して包装するための平版印刷版用包装箱において、
前記段ボール紙の端辺部分が折り返され該端辺先端の側面が前記積層体の側面と相対するように配置され、前記端辺先端の側面と前記積層体の側面との平行度が３０度以下となっていることを特徴とする平版印刷版用包装箱。
【請求項２】
１枚以上の段ボール紙が折り畳まれて形成され、内部に平版印刷版の積層体を収容して包装するための平版印刷版用包装箱において、
前記段ボール紙の端辺部分が折り返され該端辺先端の側面が前記積層体の側面と相対するように配置されるとともに、前記積層体の４つの側面のうちの前記端辺先端と相対していない側面の側にスペーサ部材が配置可能となっており、前記スペーサ部材の側面と前記積層体の側面との平行度が３０度以下となっていることを特徴とする平版印刷版用包装箱。
【請求項３】
前記段ボール紙の端辺部分のうち、相対する２辺が折り返される請求項１又は２に記載の平版印刷版用包装箱。
【請求項４】
前記端辺先端の側面と前記積層体の側面とのクリアランスが１０ｍｍ以下となっている請求項１又は３に記載の平版印刷版用包装箱。
【請求項５】
前記スペーサ部材の側面と前記積層体の側面とのクリアランスが１０ｍｍ以下となっている請求項２又は３に記載の平版印刷版用包装箱。
【請求項６】
請求項１〜５のいずれか１項に記載の平版印刷版用包装箱を使用して平版印刷版を包装したことを特徴とする平版印刷版包装構造。
【発明の詳細な説明】
【技術分野】
【０００１】
本発明は、平版印刷版用包装箱及び平版印刷版包装構造に係り、特に、平版印刷版と合紙とが交互に積層された状態の積層体に好適に使用される平版印刷版用包装箱及びこの平版印刷版用包装箱を使用した平版印刷版包装構造に関する。
【背景技術】
【０００２】
近年の製版法（電子写真製版法を含む）では、製版工程の自動化を容易にすべく、感光性印刷版や感熱性印刷版等の平版印刷版が広く用いられている。平版印刷版は、一般にシート状又はコイル状のアルミニウム板等の支持体に、たとえば、砂目立て、陽極酸化、シリケート処理、その他化成処理等の表面処理を単独又は適宜組み合わせて行い、次いで、感光層又は感熱層（以下、これらをまとめて「塗布膜」といい、塗布膜が塗布された面を「画像形成面」、塗布膜が形成されていない面を「非画像形成面」という）の塗布、乾燥処理を行った後に所望のサイズに切断されることにより製造される。
【０００３】
この平版印刷版は、露光、現像処理、ガム引き等の製版処理が行われ、印刷機にセットされる。そして、印刷機にセットされた平版印刷版に、インクが塗布され、これが転写されることにより、紙面に文字、画像等が印刷される。
【０００４】
ところで、複数の平版印刷版を積層して運搬等する場合、支持体に塗布された塗布膜（画像形成面）を保護するために、合紙と呼ばれる紙を塗布膜に接触させることがある。特に、平版印刷版を効率よく荷扱いするために、複数の平版印刷版を厚さ方向に積層して平版印刷版の積層束を構成し、この積層束を包装した状態で荷扱いすることがあり、この場合は積層束を包装した状態で段ボール等の包装箱に収納して荷扱いするのが一般的である。
【０００５】
この包装箱に関しては、コストダウン、塗布膜の損傷防止、多品種に対応した管理等の各種課題があり、この各課題に対処すべく本出願人等により各種の提案がなされている（たとえば特許文献１〜特許文献８等。）。
【０００６】
このうち、特許文献１には、底面板の端を折り曲げて包装箱を作成する内容が開示されている。特許文献２には、積層束の外周のみを覆う包装体の内容が開示されている。特許文献３には、綴じ紐付き包装体の内容が開示されている。特許文献４には、段ボール外装体用紙の製造方法の内容が開示されている。
【０００７】
特許文献５には、端部に管状構造の補強材を付けた包装箱の内容が開示されている。特許文献６には、各辺に対応して外力のエネルギーを吸収する保護部材の内容が開示されている。特許文献７には、底面板の端部を折り重ねて包装箱を組立てる内容が開示されている。特許文献８には、アルミ箔等を使用せずに透湿度が低い包装材を使用する内容が開示されている。
【０００８】
そして、これら各種の提案を実施することにより、所期の効果が得られるとされている。
【特許文献１】特開昭５４−１２９９６号公報
【特許文献２】特開平１−９９９７６号公報
【特許文献３】特開平１−４５２７３号公報
【特許文献４】特開平１−２５３４３１号公報
【特許文献５】特開平１０−１６９４６号公報
【特許文献６】特開２０００−９５２７１号公報
【特許文献７】特開平１０−２６９４５６号公報
【特許文献８】特開平６−１２２４６９号公報
【発明の開示】
【発明が解決しようとする課題】
【０００９】
しかしながら、現状では平版印刷版包装構造として求められる上記の各種課題を全て解決したものは見られない。たとえば、コストダウンができるものの、塗布膜の損傷防止が図られていない場合であったり、コストダウンができるものの、多品種に対応した管理に問題があったりする。
【００１０】
具体的には、たとえば、上記の特許文献２によれば、外力に対する保護・緩衝機能が乏しく、塗布膜の損傷防止が図られていない。また、特許文献５によれば、包装箱の隙間から光漏れを生じやすく、塗布膜の光被りとなりやすい。また、特許文献６によれば、箱内の遮光性が確保できるものの、構造が複雑であり高価となる。また、廃却時の解体が困難であるという不具合もある。
【００１１】
以下、図によって現状の平版印刷版包装構造の不具合点を説明する。図９及び図１０は、従来の平版印刷版包装構造の端辺近傍の部分断面図である。図９及び図１０に示されるように、平版印刷版１２と、塗布膜を保護する合紙１０とが、交互に厚さ方向に重ね合わされ、更に、この上面及び下面に保護用厚紙（図示略）が配置され、平版印刷版１２の積層束２０が構成されている。そして、積層束２０を内装紙（図示略）によって包装（内装）し、包装構造を平版印刷版用包装箱２に収容することにより、平版印刷版包装構造４が構成されている。
【００１２】
この平版印刷版用包装箱２は、段ボール紙が折り畳まれて形成された箱である。このうち、図９のものは、上側部分２Ａと下側部分２Ｂとが積層されて構成されている。この上側部分２Ａ及び下側部分２Ｂは、それぞれ段ボール紙が２回折り畳まれて形成されており、積層束２０の左側面に相対する部分２Ｃが山形に形成されている。したがって、積層束２０の左側面と、この部分２Ｃとの平行度が不良な状態となっている。すなわち、この部分２Ｃと積層束２０の左側面とのクリアランスは、Ｃ〜Ｃ’まで変化しており、箱内部での積層束２０が動く原因となり、塗布膜の損傷防止の点では好ましくない。
【００１３】
一方、図１０のものは、段ボール紙がコ字状に折り畳まれて形成され、これが二重になって形成された箱である。この構造においても、積層束２０の左側面と、これに相対する部分２Ｄとの平行度が不良な状態となっている。したがって、箱内部での積層束２０が動く原因となり、塗布膜の損傷防止の点では好ましくない。
【００１４】
本発明は、このような事情に鑑みてなされたもので、平版印刷版の塗布膜に損傷を生じさせず、また、コストダウン、多品種に対応した管理等の各種課題の解決が可能である平版印刷版用包装箱及びこの平版印刷版用包装箱を使用した平版印刷版包装構造を提供することを目的とする。
【課題を解決するための手段】
【００１５】
前記目的を達成するために、本発明は、１枚以上の段ボール紙が折り畳まれて形成され、内部に平版印刷版の積層体を収容して包装するための平版印刷版用包装箱において、前記段ボール紙の端辺部分が折り返され該端辺先端の側面が前記積層体の側面と相対するように配置され、前記端辺先端の側面と前記積層体の側面との平行度が３０度以下となっていることを特徴とする平版印刷版用包装箱を提供する。
【００１６】
本発明によれば、段ボール紙の折り返された端辺先端の側面が積層体の側面と相対するように配置され、この端辺先端の側面と積層体の側面との平行度が３０度以下となっているので、箱内部での積層束の動きを拘束しやすく、塗布膜の損傷防止の点では好ましい。
【００１７】
なお、本発明において、積層体の形状は、一般的に矩形状であることが好ましい。また、「平行度」とは、ＪＩＳ規格によれば、基準面に平行なある感覚を持つ、互いに平行な二つの平面の間の空間を表す、とされているが、本明細書においては、一方の面が他方の面とのなす角度を意味する。
【００１８】
また、本発明は、１枚以上の段ボール紙が折り畳まれて形成され、内部に平版印刷版の積層体を収容して包装するための平版印刷版用包装箱において、前記段ボール紙の端辺部分が折り返され該端辺先端の側面が前記積層体の側面と相対するように配置されるとともに、前記積層体の４つの側面のうちの前記端辺先端と相対していない側面の側にスペーサ部材が配置可能となっており、前記スペーサ部材の側面と前記積層体の側面との平行度が３０度以下となっていることを特徴とする平版印刷版用包装箱を提供する。
【００１９】
本発明によれば、段ボール紙の折り返された端辺先端の側面が積層体の側面と相対するように配置されるとともに、積層体の４つの側面のうちの前記端辺先端と相対していない側面の側にスペーサ部材が配置可能となっており、このスペーサ部材の側面と積層体の側面との平行度が３０度以下となっているので、箱内部での積層束の動きを拘束しやすく、塗布膜の損傷防止の点では好ましい。
【００２０】
本発明において、前記段ボール紙の端辺部分のうち、相対する２辺が折り返されることが好ましい。
【００２１】
このように、相対する２辺が折り返されることにより、箱内部での積層束の動きを両側から拘束しやすく、平版印刷版の塗布膜に損傷を生じさせる不具合を一層減少させることができる。
【００２２】
また、本発明において、前記端辺先端の側面と前記積層体の側面とのクリアランスが１０ｍｍ以下となっていることが好ましい。また、本発明において、前記スペーサ部材の側面と前記積層体の側面とのクリアランスが１０ｍｍ以下となっていることが好ましい。このように、クリアランスが１０ｍｍ以下となっていれば、箱内部での積層束の動きを拘束しやすく、平版印刷版の塗布膜に損傷を生じさせる不具合を更に一層減少させることができる。
【００２３】
また、本発明は、前記平版印刷版用包装箱を使用して平版印刷版を包装したことを特徴とする平版印刷版包装構造を提供する。本発明によれば、上記の各種平版印刷版用包装箱を使用して平版印刷版を包装するので、箱内部での積層束の動きを拘束しやすく、塗布膜の損傷防止の点では好ましい。
【発明の効果】
【００２４】
以上説明したように、本発明によれば、平版印刷版の塗布膜に損傷を生じさせにくい平版印刷版用包装箱及びこの平版印刷版用包装箱を使用した平版印刷版包装構造を提供できる。
【発明を実施するための最良の形態】
【００２５】
以下、添付図面に従って、本発明に係る平版印刷版用包装箱及びこの平版印刷版用包装箱を使用した平版印刷版包装構造の好ましい実施態様（第１実施形態）について説明する。
【００２６】
図１は、内装紙２２及び合紙１０を使用して平版印刷版１２を包装する過程を示す斜視図である。図１に示されるように、平版印刷版１２と、塗布膜を保護する合紙１０とが、交互に厚さ方向に重ね合わされ、更に、この上面及び下面に保護用厚紙１６、１６が配置され、平版印刷版１２の積層束２０が構成されている。
【００２７】
そして、積層束２０を内装紙２２によって包装（内装）することにより、積層束包装構造２４が構成されている。なお、保護用厚紙１６、１６は必須のものではない。
【００２８】
平版印刷版１２は、長方形の板状に形成された薄いアルミニウム製の支持体上に、塗布膜（感光性印刷版の場合には感光層、感熱性印刷版の場合には感熱層）を塗布して形成されている。この塗布膜に、露光、現像処理、ガム引き等の製版処理が行われ、印刷機にセットされ、インクが塗布されることにより、紙面に文字、画像等が印刷される。
【００２９】
なお、本実施形態の平版印刷版１２は、印刷に必要な処理（露光や現像等）が施される前段階のものであり、場合によっては平版印刷版原版又は平版印刷版材と称されることもある。
【００３０】
なお、上記のような構成であれば、平版印刷版１２の具体的構成は特に限定されない。たとえば、ヒートモード方式及びフォトン方式のレーザ刷版用の平版印刷版とすることによって、デジタルデータから直接製版可能な平版印刷版とすることができる。
【００３１】
また、平版印刷版１２は、感光層又は感熱層中の成分を種々選択することによって、種々の製版方法に対応した平版印刷版とすることができる。本発明の平版印刷版の具体的態様の例としては、下記（１）〜（１１）の態様が挙げられる。
【００３２】
（１）  感光層が赤外線吸収剤、熱によって酸を発生する化合物、及び酸によって架橋する化合物を含有する態様。
【００３３】
（２）  感光層が赤外線吸収剤、及び熱によってアルカリ溶解性となる化合物を含有する態様。
【００３４】
（３）  感光層が、レーザ光照射によってラジカルを発生する化合物、アルカリに可溶のバインダー、及び多官能性のモノマー又はプレポリマーを含有する層と、酸素遮断層との２層を含む態様。
【００３５】
（４）  感光層が、物理現像核層とハロゲン化銀乳剤層との２層からなる態様。
【００３６】
（５）  感光層が、多官能性モノマー及び多官能性バインダーとを含有する重合層と、ハロゲン化銀と還元剤を含有する層と、酸素遮断層との３層を含む態様。
【００３７】
（６）  感光層が、ノボラック樹脂及びナフトキノンジアジドを含有する層と、ハロゲン化銀を含有する層との２層を含む態様。
【００３８】
（７）  感光層が、有機光導電体を含む態様。
【００３９】
（８）  感光層が、レーザー光照射によって除去されるレーザ光吸収層と、親油性層及び／又は親水性層とからなる２〜３層を含む態様。
【００４０】
（９）  感光層が、エネルギーを吸収して酸を発生する化合物、酸によってスルホン酸又はカルボン酸を発生する官能基を側鎖に有する高分子化合物、及び可視光を吸収することで酸発生剤にエネルギーを与える化合物を含有する態様。
【００４１】
（１０）  感光層が、キノンジアジド化合物と、ノボラック樹脂とを含有する態様。
【００４２】
（１１）  感光層が、光又は紫外線により分解して自己もしくは層内の他の分子との架橋構造を形成する化合物とアルカリに可溶のバインダーとを含有する態様。
【００４３】
特に、近年では、レーザ光で露光する高感度感光タイプの塗布膜を塗布した平版印刷版や、感熱タイプの平版印刷版が使用されることもあるが（たとえば、上記した（１）〜（３）の態様等）、このような高感度タイプの平版印刷版の場合には、本発明の平版印刷版用包装材を使用することにより、画像形成面の品質低下を確実に防止できる。
【００４４】
なお、本実施形態の平版印刷版１２（上記した（１）〜（１１）の全ての態様の平版印刷版）は、積層束２０を構成した状態で自動給版機能を持った自動製版機や、いわゆるプレートセッター等にセットされ、製版工程への供給（給版）される場合がある。
【００４５】
また、自動給版機能を持った自動製版機やいわゆるプレートセッター等にセットされるときに、保護用厚紙１６がなく、平版印刷版１２と合紙１０とが各々２枚程度の少量でセットされる場合もある。
【００４６】
そして、図１により既述したように、塗布膜を保護する合紙１０と、平版印刷版１２と、を交互に厚さ方向に重ね合わせ、更に、この上面及び下面に保護用厚紙１６を配置して、平版印刷版１２の積層束２０が構成されている。
【００４７】
１つの積層束２０を構成する平版印刷版１２の数は特に限定されないが、運搬や保管の効率化の観点等から、たとえば１０枚〜１００枚とすることができる。また、このように１０枚〜１００枚の平版印刷版１２によって積層束２０を構成した場合には、平版印刷版１２と保護用厚紙１６とがずれないように、粘着テープ等の固定手段でこれらを固定することが好ましい。
【００４８】
図２は、積層束包装構造２４の外観を示す斜視図である。積層束包装構造２４は、上記のようにして構成された積層束２０を、内装紙２２によって内装し、粘着テープ２８、２８…によって内装紙２２を所定位置で張り付けて構成されたものである。
【００４９】
この構成によって、不用意に内装紙２２が広がったり脱落したりしないように固定され、平版印刷版１２は確実に遮光及び防湿がなされる。このように、本実施形態では、積層束２０を内装紙２２によって内装することにより積層束包装構造２４が構成されている。そして、この積層束包装構造２４を、更に本発明に係る平版印刷版用包装箱によって外装（収容）する。
【００５０】
次に、本発明に係る平版印刷版用包装箱３０について詳説する。この平版印刷版用包装箱３０は、１枚以上の段ボール紙３２が折り畳まれて形成され、内部に積層束包装構造２４（平版印刷版の積層体）を収容して包装するための包装箱である。
【００５１】
図３は、この平版印刷版用包装箱３０の製造方法（組立て方法）を示す図である。図３において組立て工程は、（Ａ）〜（Ｄ）の順序で進行する。図３（Ａ）は、平版印刷版用包装箱３０の原材料となる矩形の段ボール紙３２である。
【００５２】
先ず、図３（Ｂ）に示されるように、段ボール紙３２の上下方向等の廃棄部分Ｈ、Ｈ…が切除され、図の太線である折り返し線（罫線とも言う）が形成される。次いで、図３（Ｃ）に示されるように、左右の廃棄部分Ｈ、Ｈ…が切除され、更に折り返し線（図の太線）が形成される。
【００５３】
図３（Ｃ）の状態において、折り返し線により、平版印刷版用包装箱３０を展開した各部分が判別可能となっている。すなわち、底板３６と、手前側天板３８Ａと、奥側天板３８Ｂと、手前側側板４０Ａと、奥側側板４０Ｂと、左下側側板４２Ａと、右下側側板４２Ｂと、左上手前側側板４２Ｃと、右上手前側側板４２Ｄと、左上奥側側板４２Ｅと、右上奥側側板４２Ｆと、により直方体（包装箱）の外面が形成できるようになっている。
【００５４】
また、底左側折り返し部分４４Ａと、底右側折り返し部分４４Ｂと、天手前左側折り返し部分４６Ａと、天手前右側折り返し部分４６Ｂと、天奥左側折り返し部分４８Ａと、天奥右側折り返し部分４８Ｂと、により直方体（包装箱）の内面への折り返し部分が形成できるようになっている。
【００５５】
次いで、底左側折り返し部分４４Ａと、底右側折り返し部分４４Ｂと、天手前左側折り返し部分４６Ａと、天手前右側折り返し部分４６Ｂと、天奥左側折り返し部分４８Ａと、天奥右側折り返し部分４８Ｂとをそれぞれ内面側（図の上側）に折り返し、図３（Ｄ）に示されるような状態３０’に形成する。なお、図３（Ｄ）では、底板３６の上に積層束包装構造２４が載置されている。
【００５６】
次いで、手前側天板３８Ａと、奥側天板３８Ｂとをそれぞれ内面側（図の上側）に折り返し、平版印刷版用包装箱３０が完成する。図４は、この平版印刷版用包装箱３０の平面図であり、上面が手前側天板３８Ａ及び奥側天板３８Ｂとなっている。
【００５７】
このように平版印刷版用包装箱３０を製造（組立て）することにより、製品（積層束包装構造２４）のサイズに合わせた包装箱を容易に製造（組立て）でき、コストダウン、多品種に対応した管理等の各種課題に対応でき好ましい。特に、製品のサイズに合わせた平版印刷版用包装箱３０の展開図をコンピュータ手段により自動で設計し、この設計データにより、廃棄部分Ｈ、Ｈ…を切除する装置や、折り返し線（図の太線）を形成する装置を制御する方法を採用すれば、コストダウン、多品種に対応した管理等が一層容易となる。
【００５８】
次に、本発明の特徴部分である、端辺部分（図３（Ｃ）の斜線で示す部分）の折り返し構造について説明する。折り返し構造の説明の一例として、図３の平版印刷版用包装箱３０左端部の例で説明する。図５は、図４の５−５線断面図であり、平版印刷版用包装箱３０の左端部近傍を示す部分拡大図である。
【００５９】
図５に示されるように、段ボール紙の端辺部分が折り返され、この端辺先端の側面が積層束２０（積層束包装構造２４であってもよい）の側面と相対するように配置されている。より具体的には、奥側天板３８Ｂの端辺部分が折り返され、左上奥側側板４２Ｅが左側壁を形成し、天奥左側折り返し部分４８Ａが奥側天板３８Ｂと平行になっている。そして、天奥左側折り返し部分４８Ａの端辺先端４８Ｔの側面が積層束２０（積層体）の側面上半分と相対するように配置されている。
【００６０】
また、底板３６の端辺部分が折り返され、左下側側板４２Ａが左側壁を形成し、底左側折り返し部分４４Ａが底板３６と平行になっている。そして、底左側折り返し部分４４Ａの端辺先端４４Ｔの側面が積層束２０（積層束包装構造２４）の側面下半分と相対するように配置されている。
【００６１】
更に、天奥左側折り返し部分４８Ａの端辺先端の側面４８Ｔと積層束２０の側面上半分との平行度が３０度以下となっており、底左側折り返し部分４４Ａの端辺先端の側面４４Ｔと積層束２０の側面下半分との平行度が３０度以下となっている。このように、積層束２０の側面と当接する部分の平行度が良好となっていれば、箱内部での積層束２０の動きを拘束しやすく、塗布膜の損傷防止の点では好ましい。
【００６２】
更に、天奥左側折り返し部分４８Ａの端辺先端の側面４８Ｔと積層束２０の側面上半分とのクリアランスＣ１が１０ｍｍ以下となっており、底左側折り返し部分４４Ａの端辺先端の側面４４Ｔと積層束２０の側面下半分とのクリアランスＣ２が１０ｍｍ以下となっている。このように、積層束２０の側面と当接する部分のクリアランスが１０ｍｍ以下となっていれば、箱内部での積層束２０の動きを拘束しやすく、平版印刷版の塗布膜に損傷を生じさせる不具合を更に一層減少させることができる。
【００６３】
なお、図５に示されるように、奥側天板３８Ｂの端辺部分が折り返されて形成された左側壁（左上奥側側板４２Ｅ）や、底板３６の端辺部分が折り返されて形成された左側壁（左下側側板４２Ａ）は、従来例（図９の部分２Ｃ、図１０の部分２Ｄ）と同様に傾斜しているが、この部分が積層束２０と当接する訳ではないので、積層束２０品質に何ら影響を及ぼさない。
【００６４】
次に、このような平版印刷版用包装箱３０に使用される段ボール紙３２について説明する。段ボール紙３２の段については、ＪＩＳ  Ｚ  １５１６に規定するＡ（強い）、Ｃ、Ｂ、及びＥ（弱い）の各種のものが使用できる。
【００６５】
段ボール紙３２の層構成については、ＪＩＳ  Ｚ  １５１６他に規定する、複複両面ＡＡＡ（強い）、複両面ＡＡ、及び両面Ａ（弱い）の各種のものが使用できる。
【００６６】
段ボール紙３２の表裏のライナーの種類については、ＪＩＳ  Ｐ  ３９０２他に規定するＡＡ（強い）、Ａ、Ｂ、及びＣ（弱い）の各種のものが使用できる。
【００６７】
段ボール紙３２の表裏のライナーの秤量については、４４０ｇ／ｍ２（強い）〜１６０ｇ／ｍ２（弱い）の各種のものが使用できる。
【００６８】
段ボール紙３２の中芯の種類については、ＪＩＳ  Ｐ  ３９０４他に規定する強化中芯Ａ（強い）、Ｂ、及びＣ（弱い）の各種のものが使用できる。
【００６９】
段ボール紙３２の中芯の秤量については、２８０ｇ／ｍ２（強い）〜１００ｇ／ｍ２（弱い）の各種のものが使用できる。
【００７０】
段ボール紙３２の代替材料としては、秤量２００ｇ／ｍ２〜２０００ｇ／ｍ２の厚紙が使用できる。
【００７１】
次に、本発明の他の実施形態（第２実施形態）について説明する。なお、本実施形態において、段ボール紙３２を２枚積層して平版印刷版用包装箱１３０を製造（組立て）する以外の点では、既述の第１実施形態と略同一なので製造（組立て）方法の図示及び詳細な説明は省略する。
【００７２】
図６は、本実施形態における平版印刷版用包装箱１３０の左端部近傍を示す部分拡大図であり第１実施形態の図５に対応する。
【００７３】
図６に示されるように、段ボール紙３２、１３２の端辺部分が折り返され、この端辺先
端の側面が積層束２０（積層体）の側面と相対するように配置されている。そして、上側折り返し部分の端辺先端の側面Ｔ１が積層束２０（積層体）の側面上半分と相対するように配置されている。また、下側折り返し部分の端辺先端の側面Ｔ２が積層束２０（積層体）の側面下半分と相対するように配置されている。
【００７４】
更に、上側折り返し部分の端辺先端の側面Ｔ１と積層束２０の側面上半分との平行度が３０度以下となっており、下側折り返し部分の端辺先端の側面Ｔ２と積層束２０の側面下半分との平行度が３０度以下となっている。このように、積層束２０の側面と当接する部分の平行度が良好となっていれば、箱内部での積層束２０の動きを拘束しやすく、塗布膜の損傷防止の点では好ましい。
【００７５】
更に、上側折り返し部分の端辺先端の側面Ｔ１と積層束２０の側面上半分とのクリアランスＣ３が１０ｍｍ以下となっており、下側折り返し部分の端辺先端の側面Ｔ２と積層束２０の側面下半分とのクリアランスＣ４が１０ｍｍ以下となっている。このように、積層束２０の側面と当接する部分とのクリアランスが１０ｍｍ以下となっていれば、箱内部での積層束２０の動きを拘束しやすく、平版印刷版の塗布膜に損傷を生じさせる不具合を更に一層減少させることができる。
【００７６】
次に、本発明の更に他の実施形態（第３実施形態）について説明する。第３の実施の形態は、段ボール紙の端辺部分が折り返され、該端辺先端の側面が積層体の側面と相対するように配置されるとともに、積層体の４つの側面のうちの前記端辺先端と相対していない側面の側にスペーサ部材が配置可能となるようにしたものである。なお、本実施形態においても、第２実施形態と同様に製造（組立て）方法の図示及び詳細な説明は省略する。
【００７７】
図７は、本実施形態における製造（組立て）途上の形態を示す図であり、第１実施形態の図３（Ｄ）に対応する。図８は、本実施形態における平版印刷版用包装箱４０の左端部近傍を示す部分拡大図である。
【００７８】
図７に示されるように、段ボール紙２の中央部分（底板）に積層束包装構造２４が載置され、この積層束包装構造２４の両側面に密着するようにスペーサ部材Ｓ、Ｓが配されている。このスペーサ部材Ｓは、厚さが積層束包装構造２４と略同一であり、断面が矩形（長方形）の棒状部材である。
【００７９】
したがって、図８に示されるように、スペーサ部材Ｓの右側面と積層束２０（積層束包装構造２４）の左側面との平行度が３０度以下となっている。このように、積層束２０の側面と当接するスペーサ部材Ｓの平行度が良好となっていれば、箱内部での積層束２０の動きを拘束しやすく、塗布膜の損傷防止の点では好ましい。
【００８０】
また、スペーサ部材Ｓの側面と積層束２０（積層束包装構造２４）の側面とのクリアランスＣ５が１０ｍｍ以下（実質上ゼロ）となっている。このように、積層束２０の側面と当接する部分とのクリアランスが１０ｍｍ以下（実質上ゼロ）となっていれば、箱内部での積層束２０の動きを拘束しやすく、平版印刷版の塗布膜に損傷を生じさせる不具合を更に一層減少させることができる。
【００８１】
なお、図８の平版印刷版用包装箱４０において、既述した従来例の図１０と同様に、スペーサ部材Ｓの左側面と、これに相対する部分２Ｄとの平行度が不良な状態となっているが、箱内部での積層束２０の動きを拘束する機能は何ら影響されない。
【００８２】
以上説明したように、本発明によれば、平版印刷版１２の塗布膜に損傷を生じさせず、また、コストダウン、多品種に対応した管理等の各種課題の解決が可能である平版印刷版用包装箱及びこの平版印刷版用包装箱を使用した平版印刷版包装構造を提供できる。
【００８３】
以上、本発明に係る平版印刷版用包装箱及びこの平版印刷版用包装箱を使用した平版印刷版包装構造の実施形態について説明したが、本発明は上記実施形態に限定されるものではなく、各種の態様が採り得る。
【００８４】
たとえば、上記実施形態においては、平版印刷版用包装材として段ボール紙が採用されているが、他の包装材、たとえば段ボール紙と同様に機能する厚紙を使用してもよく、これによっても本実施形態と同様の効果が得られる。
【図面の簡単な説明】
【００８５】
【図１】平版印刷版用包装材を使用して平版印刷版を包装する過程を示す斜視図
【図２】積層束包装構造の外観を示す斜視図
【図３】本発明に係る平版印刷版用包装箱の製造方法を示す図
【図４】本発明に係る平版印刷版用包装箱の平面図
【図５】図４の５−５線断面図
【図６】他の実施形態の平版印刷版用包装箱の左端部近傍を示す部分拡大図
【図７】更に他の実施形態の平版印刷版用包装箱を展開した状態を示す平面図
【図８】更に他の実施形態の平版印刷版用包装箱の左端部近傍を示す部分拡大図
【図９】従来の平版印刷版用包装箱の左端部近傍を示す部分拡大図
【図１０】従来の平版印刷版用包装箱の左端部近傍を示す部分拡大図
【符号の説明】
【００８６】
１０…合紙（平版印刷版用包装材）、１２…平版印刷版、１６…保護用厚紙、２０…積層束、２２…内装紙、２４…積層束包装構造、３０…平版印刷版用包装箱、３２…段ボール紙、Ｓ…スペーサ部材
【図１】
2007290777.tif 000003
【図２】
2007290777.tif 000004
【図３】
2007290777.tif 000005
【図４】
2007290777.tif 000006
【図５】
2007290777.tif 000007
【図６】
2007290777.tif 000008
【図７】
2007290777.tif 000009
【図８】
2007290777.tif 000010
【図９】
2007290777.tif 000011
【図１０】
2007290777.tif 000012